(57)【要約】【課題】  同一マルチメディアコンテンツの、複数の移動マルチメディア端末への配信が可能であり、また、配信の実現のために、配信の宛先の識別子を知らなくとも、配信を行うことができ、さらに、配信の宛先である移動端末の地理的な位置を特定し、それに基づいた上でマルチメディアコンテンツの配信を実施することができる手段を提供する。【解決手段】  マルチメディアコンテンツ配信サーバー１０１が、マルチメディアコンテンツを、マルチメディアコンテンツメモリ１０４の中に保存し、保存されたマルチメディアコンテンツにサービス識別子を割当て、サービス識別子に地理的区域識別子を関連づけ、マルチメディアコンテンツについて配信メッセージを生成し、この配信メッセージが、マルチメディアコンテンツに関連づけられた識別子／アドレスと、サービス識別子とを備え、配信メッセージをマルチメディアコンテンツに関連づけられた地理的区域に配信する。【選択図】  図１
2004213653.tif 000002
【特許請求の範囲】
【請求項１】
マルチメディアコンテンツ配信サーバーが、
マルチメディアコンテンツを、コンテンツメモリの中に保存し、
保存されたマルチメディアコンテンツに、サービス識別子を割当て、
サービス識別子に、地理的区域識別子を関連づけ、
マルチメディアコンテンツについて、配信メッセージを生成し、
この配信メッセージを、マルチメディアコンテンツに関連づけられた地理的区域に配信し、
配信メッセージは、マルチメディアコンテンツに関連づけられた識別子／アドレスと、サービス識別子とを備えるものである、移動端末へのマルチメディアコンテンツ配信方法。
【請求項２】
マルチメディアコンテンツは、メッセージを介して得られるものであり、
該メッセージは、マルチメディアコンテンツを送信するサーバーによって発信され、
メッセージは、更新の指示コードとマルチメディアコンテンツとを備えるものであることを特徴とする、請求項１に記載の方法。
【請求項３】
地理的区域とマルチメディアコンテンツとの関連づけは、配信サーバーによって、マルチメディアコンテンツと地理的区域のアドレスとの関連づけを備えたメッセージが受信された後に、更新されることを特徴とする、請求項１または２に記載の方法。
【請求項４】
マルチメディアコンテンツ配信サーバーは、
リクエストの由来の識別子と、マルチメディアコンテンツ識別子とを備えるマルチメディアコンテンツの収容リクエストを受信し、
マルチメディアコンテンツを備える応答メッセージを生成し、
応答メッセージを、リクエスト由来の識別子によって識別された機器に発信する、という手順をも実施することを特徴とする、請求項１から３のいずれか一つの記載の方法。
【請求項５】
配信サーバーは、各マルチメディアコンテンツの収容リクエストについて、マルチメディアコンテンツに関連づけられた、カウンターの増分を実施することを特徴とする、請求項４に記載の方法。
【請求項６】
配信サーバーは、顧客がマルチメディアコンテンツの収容リクエストを発信するたびに、マルチメディアコンテンツの識別子に関連づけられるリストを更新することを特徴とする、請求項４または５に記載の方法。
【請求項７】
配信のショートメッセージは、ショートメッセージの処理が、ショートメッセージの宛先となる移動端末における特定のアプリケーションに割り当てられるように、フィールドを備えていることを特徴とする、請求項１から６のいずれか一つに記載の方法。
【請求項８】
配信サーバーは、
マルチメディアコンテンツの識別子と、収容メッセージの由来の機器の識別子とを備える統計収容メッセージを受信し、
マルチメディアコンテンツの識別子に関連づけられた統計を備える応答メッセージを生成し、
応答メッセージを収容メッセージの由来の識別子によって、識別された機器に発信する、という手順をも実施することを特徴とする、請求項１から７のいずれか一つに記載の方法。
【請求項９】
移動端末が、
マルチメディアコンテンツの配信、サービス識別子、マルチメディアコンテンツの識別子／アドレスに対応する処理の指示コードを備えるショートメッセージを受信し、
サービス識別子と移動端末の構成メモリとに応じて受信されたショートメッセージの直接関連性を決定し、
メッセージが、直接関連性のあるものである場合は、マルチメディアコンテンツの識別子／アドレスに基づいて、マルチメディアコンテンツの収容リクエストを生成し、収容リクエストを発信し、次に収容リクエストへの応答を処理する、という手順を実施することを特徴とする、移動端末へのマルチメディアコンテンツ配信方法。
【請求項１０】
マルチメディアコンテンツの収容リクエストへの応答が、ＭＭＳ型のメッセージであることを特徴とする、請求項１から９のいずれか一つに記載の方法。
【請求項１１】
マルチメディアコンテンツの収容リクエストへの応答は、マルチメディアコンテンツをリクエストした端末の自動呼び出しであり、
該マルチメディアコンテンツは、呼び出しの間に配信されるものであることを特徴とする、請求項１から９のいずれか一つに記載の方法。
【請求項１２】
配信するマルチメディアコンテンツの記録手段と、
サービス識別子を、保存されたマルチメディアコンテンツに関連づける手段と、
地理的区域の識別子を、サービス識別子に関連づける手段と、
ショートメッセージは、マルチメディアコンテンツに関連づけられた識別子／アドレスとサービス識別子とを備えるものであり、マルチメディアコンテンツに関連づけられた地理的区域において、配信のショートメッセージを配信する手段と、
生成された配信のショートメッセージを発信する手段とを、備えていることを特徴とする、移動端末へのマルチメディアコンテンツ配信装置。
【発明の詳細な説明】
【技術分野】
【０００１】
本発明は、移動端末へのマルチメディアコンテンツ配信方法及びその装置に関するものである。
本発明の技術分野は、携帯電話に関するものである。
本発明の分野は特に、携帯電話通信網を介してマルチメディアコンテンツを配信することに関するものである。
配信とは、一つの地点から複数の地点への伝達、つまり一つのサーバーから複数の端末への伝達の実施を意味し、前記伝達は、同一のコンテンツを有するものである。
【背景技術】
【０００２】
現行技術において、マルチメディアコンテンツを配信する原理は、電子メール型の電子アドレス、あるいは、ＭＳＩＳＤＮ（Ｍｏｂｉｌｅ  Ｓｔａｔｉｏｎ  ＩＳＤＮ  Ｎｕｍｂｅｒ、即ち携帯電話加入者の国際番号）の名称でも知られている電話番号によるものである、アドレシングモードに基づいている。
現行技術においては、公的な識別子という意味で、配信の宛先のアドレスを知る必要がある。
そのようなアドレスは、この目的で行われる調査により根気よく収集するか、あるいはアドレスのファイルを購入するなどして入手される。
このようなアドレスのリストが一度構成されると、これらのアドレスのそれぞれにマルチメディアコンテンツを発信すること、つまりは、配信を実施することが可能となる。
【０００３】
現行技術においてはまた、このようなアドレスのリストに基づいて、地理的に標的を定めることも必要となる。
このために、このリストに載っているアドレスの位置を特定する必要がある。
この位置特定は、狙いたい地理的区域に対応するアドレスを選択することを可能にする。
このことによって、選択された区域に属するアドレスだけにマルチメディアコンテンツを送ることが可能となる。
【０００４】
地理的に位置を特定した配信を実施するために、このような方法をとることは、第１にアドレスの収集、第２に位置の特定、第３にメッセージの送信という、少なくと三つの手順が必要となる。
しかも、このような方法で得られる結果は、対象とする地理的範囲という点おいて、心もとないものである。
実際、収集したアドレスのリストに載っているアドレスの持ち主が、標的に定めた地理的な区域に確かに存在しているという保証はないのである。
よって、現行技術の方法では、狙った地理的区域に標的とする人物がいないために、実際に配信が行われないことになってしまいかねない可能性がある。
【０００５】
現行技術の一つの変型例においては、アドレスによって識別された端末の、地理的区域への到着の検出は可能である。
その場合、到着の検出は、端末に向けたマルチメディアコンテンツの発信を開始するきっかけとすることができる。
しかしながら、この方法は、端末がどの地理的区域に入り込んだかを検出できるよう、常に端末を追跡していなければならないために複雑である。
この場合も、アドレスのリストによって決定され、また、リストと関連づけられる端末の地理的な追跡に左右されているため、効率が悪い
【０００６】
よって、現行技術による方法は、一方では、必要な手順の多さや複雑さなどから費用がかかり、他方では効率が悪い。
【発明の開示】
【発明が解決しようとする課題】
【０００７】
本発明の目的は、同一のマルチメディアコンテンツの、複数の移動マルチメディア端末への配信を可能にすることである。
本発明のもう一つの目的は、配信の実現のために、配信の宛先の識別子を知らなくとも、配信を行えるようにすることである。
本発明のもう一つの目的は、配信の宛先である移動端末の地理的な位置を特定し、それに基づいた上でマルチメディアコンテンツの配信を実施することである。
本発明のもう一つの目的は、移動端末の地理的な位置を特定することにつながる費用を削減することである。
【課題を解決するための手段】
【０００８】
本発明においては、携帯電話通信網の特異性を利用することにより、これらの問題を解決する。
本発明において、これらの特異性は、マルチメディアコンテンツ配信サーバーによって実施され、該サーバーは、マルチメディアコンテンツ配信を行いたい電話網に接続されている。
この配信サーバーは、接続を可能にする、少なくとも二つのインターフェイスと、配信機能を備えつけている。
第１のインターフェイスは、マルチメディアコンテンツ配信業者に配信サーバーの構成を実施させることを可能にする。
この構成は、地理的区域の指定と、この区域に配信するマルチメディアコンテンツを供給することによってなされる。
このコンテンツの地理的区域への関連づけは、ここではサービス識別子で識別されるサービスと呼ばれる。
このサービス識別子は、配信業者に、このサービスに関する配信サーバーの構成を変更させることを可能にする。
変更とは、例えば地理的区域の変更、マルチメディアコンテンツの変更、サービスの廃止などである。
【０００９】
第２のインターフェイスは、配信の標的機器に、マルチメディアコンテンツを収容させることを可能にする。
この収容は、ＷＡＰ（Ｗｉｒｅｌｅｓｓ  Ａｐｐｌｉｃａｔｉｏｎ  Ｐｒｏｔｏｃｏｌ、即ちワイヤレスアプリケーションプロトコル）インターフェイスを介して、あるいはＨＴＴＰインターフェイスを介して、あるいはＴＣＰ／ＩＰに基づくあらゆるインターフェイスでも、また、マルチメディアコンテンツの配信が実施される間のコールバックによって行われる。
【００１０】
マルチメディアコンテンツの配信は、ＳＭＳ−ＣＢ（Ｓｈｏｒｔ  Ｍｅｓｓａｇｅ  Ｓｅｒｖｉｃｅ−Ｃｅｌｌ  Ｂｒｏａｄｃａｓｔ、即ちセルの中でショートメッセージを配信するサービス）技術を用いた配信サーバーによって実現される。
ＳＭＳ−ＣＢ技術は、ＧＳＭ規格のフェーズ２によって定義されており、更に詳しくはＧＳＭの３．４９という文献に定義されている。
配信サーバーは、配信のショートメッセージを生成し、該メッセージは、配信サーバー上においてマルチメディアコンテンツの識別が可能となる、少なくとも一つの情報を備えている。
サーバーは、標的を定めた地理的区域の範囲内にある、電話網のセルを決定する。
最後に、サーバーから所定のセルに、ＳＭＳ−ＣＢ技術を用いてメッセージを配信することになり、その結果、所定のセルに接続された全ての端末において、生成されたショートメッセージが受信される。
各端末上でショートメッセージは解釈され、それにより、端末によるマルチメディアコンテンツの収容が行われる。
【００１１】
このようにして、地理的区域における全ての端末への配信が行われる。
【００１２】
すなわち、本発明の課題を解決するための手段は、次のとおりである。
【００１３】
第１に、
マルチメディアコンテンツ配信サーバーが、
−少なくとも一つのマルチメディアコンテンツをコンテンツメモリの中に保存し（３０５）、
−サービス識別子を保存された各マルチメディアコンテンツに割当て（３０６）、
−少なくとも一つの地理的区域の識別子を各サービス識別子に関連づけ（３０３）、
−一つのマルチメディアコンテンツについて、少なくとも一つの配信メッセージを生成し（３０７）、このメッセージをマルチメディアコンテンツに関連づけられた地理的区域に配信し、配信のショートメッセージは、マルチメディアコンテンツに関連づけられた識別子／アドレスと、サービス識別子を備えるものである、
という手順を実施することを特徴とする、移動端末へのマルチメディアコンテンツ配信方法。
第２に、
マルチメディアコンテンツは、構成メッセージ（４０１）を介して得られるものであり、該メッセージは、マルチメディアコンテンツを送信する分配サーバーによって発信され、構成メッセージは、少なくとも一つの更新指示コード（４０４）とマルチメディアコンテンツ（４０５）とを備えるものであることを特徴とする、上記第１に記載の方法。
第３に、
地理的区域とマルチメディアコンテンツとの関連づけは、配信サーバーによって、マルチメディアコンテンツと地理的区域のアドレス（４０３）との関連づけを備えた構成メッセージが受信された後に、更新されることを特徴とする、上記第１または２に記載の方法。
第４に、
配信サーバーはまた、
−リクエストの由来の識別子と、マルチメディアコンテンツの識別子とを備えるマルチメディアコンテンツの収容リクエストを受信し（３１５）、
−マルチメディアコンテンツを備える応答メッセージを生成し（３１５）、
−応答メッセージを、リクエストの由来の識別子によって識別された機器に発信する（３１５）、
という手順をも実施することを特徴とする、上記第１から３のいずれか一つの記載の方法。
第５に、
配信サーバーは、各マルチメディアコンテンツの収容リクエストについて、マルチメディアコンテンツに関連づけられた、カウンター（１０４ｄ）の増分を実施することを特徴とする、上記第４に記載の方法。
第６に、
配信サーバーは、顧客がマルチメディアコンテンツの前記収容リクエストを発信するたびに、マルチメディアコンテンツの識別子に関連づけられるリスト（１０４ｆ）を更新することを特徴とする、上記第４または５に記載の方法。
第７に、
配信のショートメッセージ（４１０）は、ショートメッセージの処理が、ショートメッセージの宛て先となる移動端末における特定のアプリケーションに割り当てられるように、少なくとも一つのフィールド（４１１）を備えていることを特徴とする、上記第１から６のいずれか一つに記載の方法。
第８に、
配信サーバーはまた、
−マルチメディアコンテンツの識別子と、収容メッセージの由来の機器の識別子とを備える統計収容メッセージを受信し、
−マルチメディアコンテンツの識別子に関連づけられた統計を備える応答メッセージを生成し、
−応答メッセージを収容メッセージの由来の識別子によって、識別された機器に発信する、
という手順をも実施することを特徴とする、上記第１から７のいずれか一つに記載の方法。
第９に、
移動端末が、
−マルチメディアコンテンツの配信、サービス識別子そしてマルチメディアコンテンツの識別子／アドレスに対応する処理の指示コードを備えるショートメッセージを受信し（３１０）、
−サービス識別子と移動端末の構成メモリとに応じて受信されたショートメッセージの直接関連性／妥当性を決定し（３１２）、
−メッセージが直接関連性のあるものである場合は、マルチメディアコンテンツの識別子／アドレスに基づいて、マルチメディアコンテンツの収容リクエストを生成し（３１４）、収容リクエストを発信し、次に収容リクエストへの応答を処理する、
という手順を実施することを特徴とする、移動端末へのマルチメディアコンテンツ配信方法。
第１０に、
マルチメディアコンテンツの収容リクエストへの応答が、ＭＭＳ型のメッセージであることを特徴とする、上記第１から９のいずれか一つに記載の方法。
第１１に、
マルチメディアコンテンツの収容リクエストへの応答は、マルチメディアコンテンツをリクエストした端末の自動呼び出しであり、該マルチメディアコンテンツは、呼び出しの間に配信されるものであることを特徴とする、上記第１から９のいずれか一つに記載の方法。
第１２に、
−少なくとも一つの配信するマルチメディアコンテンツの記録手段（１０４）と、
−サービス識別子を、保存された各マルチメディアコンテンツに関連づける手段（１０３ａ、１０４ａ）と、
−少なくとも一つの地理的区域の識別子を、各サービス識別子に関連づける手段（１０３ａ、１０４ｅ）と、
−ショートメッセージは、マルチメディアコンテンツに関連づけられた識別子／アドレスとサービス識別子とを備えるものであり、マルチメディアコンテンツに関連づけられた地理的区域において、配信のショートメッセージを配信する手段（１０３、１０５）と、
−生成された配信のショートメッセージを発信する手段（１０３ｄ）、
を備えていることを特徴とする、移動端末へのマルチメディアコンテンツ配信装置。
【発明の効果】
【００１４】
本発明によると、次のような効果を得ることができる。
同一のマルチメディアコンテンツの、複数の移動マルチメディア端末への配信が可能である。
配信の実現のために、配信の宛先の識別子を知らなくとも、配信を行うことができる。
配信の宛先である移動端末の地理的な位置を特定し、それに基づいた上でマルチメディアコンテンツの配信を実施することができるので、移動端末の地理的な位置を特定することにつながる費用を削減することが可能である。
【発明を実施するための最良の形態】
【００１５】
本発明は、以下の説明を読み、添付図面を検証することにより更によく理解されていく。
それら図面は、例示としてのみ示されるのであって、本発明を限定する趣旨のものでは全くない。
【００１６】
図１は、本発明による方法の実施を可能にする装置の概略図である。
図２は、本発明による方法を総合的に示した概略図である。
図３は、本発明による方法の手順を示した概略図である。
図４は、本発明による方法の実施の間にやり取りされるメッセージの内容の概略図である。
【００１７】
図１は、本発明による方法の手順を実施する手段を備える配信サーバー１０１を示している。
配信サーバー１０１は、マイクロプロセッサー１０２と、プログラムメモリ１０３と、マルチメディアコンテンツメモリ１０４と、地理的区域記述メモリ１０５と、インターネット通信網１０９とのインターフェイス回路１０６と、携帯電話通信網１１０とのインターフェイス回路１０７を備えている。
マイクロプロセッサー１０２、プログラムメモリ１０３、マルチメディアコンテンツメモリ１０４、地理的区域記述メモリ１０５、インターフェイス回路１０６、インターフェイス回路１０７は、バス１０８を介して接続されている。
マイクロプロセッサー１０２は、プログラムメモリ１０３中に記録された指示コードの実行に対応する作用を実施する。
ある作用を配信サーバー１０１に及ぼす際には、これは、実際にマイクロプロセッサー１０２によって実現される。
一般的には、ある機器にある作用を及ぼす際には、これは、機器のマイクロプロセッサーによって実現され、該マイクロプロセッサーは、この機器のプログラムメモリの指示コードによって制御される。
【００１８】
図１に示されるところにより、一つの機器に対して幾つものメモリがあることが明らかとなった。
実際に、このようなメモリに対応する情報は、複数の部品に記録されるのと同様に、一つのメモリ部品を区分して記録されることが可能である。
【００１９】
プログラムメモリ１０３は、配信サーバー１０１のあらゆる機能を例証できるように、複数の区域に分割されている。
本発明と直接関係する区域だけが図示されているが、プログラムメモリ１０３には他の区域もあることは言うまでもない。
続いて説明される他のプログラムメモリについても、それは同様である。
【００２０】
プログラムメモリ１０３は、マルチメディアコンテンツの配信を管理する区域を備える。
プログラムメモリ１０３の一つの区域は、マイクロプロセッサー１０２による、機能の実行指示コードを備えている。
区域１０３ａは、マルチメディアコンテンツメモリ１０４における新しいサービス／マルチメディアコンテンツの生成に対応している。
区域１０３ｂは、マルチメディアコンテンツメモリ１０４におけるマルチメディアコンテンツの更新に対応しており、該更新とは、変更または廃止のことである。
区域１０３ｃは、配信サーバー１０１に接続された移動端末による、マルチメディアコンテンツの収容リクエストの処理に対応している。
区域１０３ｄは、配信のショートメッセージ（つまりＳＭＳ−ＣＢメッセージ）の管理に対応している。
区域１０３ｅは、例えば、マルチメディアコンテンツメモリ１０４に記録されたマルチメディアコンテンツへのアクセスに関する統計を収容しようとしている、マルチメディアコンテンツの配信サーバーとの接続の管理に対応している。
区域１０３ｆは、ＴＣＰ／ＩＰプロトコルによる通信の管理に対応している。
【００２１】
マルチメディアコンテンツメモリ１０４は、表形式に構成されており、それぞれの行は、サービス／マルチメディアコンテンツに対応しており、それぞれの列は、マルチメディア構成要素の特徴に対応している。
列１０４ａは、マルチメディアコンテンツの識別子を記録することが可能であり、列１０４ａの区画の内容もまたサービス識別子と呼ばれる。
列１０４ｂは、マルチメディアコンテンツの公的なアドレスを保存することを可能にする。
列１０４ｃにより、マルチメディアコンテンツを保存することができる。
マルチメディアコンテンツは、テキスト、画像、音声、映画、ＭＭＳ（Ｍｕｌｔｉｍｅｄｉａ  Ｍｅｓｓａｇｅ  Ｓｅｒｖｉｃｅ、即ちマルチメディアメッセージサービス）メッセージ、ＸＭＬ音声ファイル、及び／またはＨＴＭＬ型フォーマットでのファイルなどがなりうるが、ここにすべてを網羅したわけではない。
列１０４ｄは、マルチメディアコンテンツへのアクセス数のカウンターの記録を可能にする。
列１０４ｅは、一つの地理的区域または区域のアドレスの識別子を、記録することを可能にする。
列１０４ｆは、マルチメディアコンテンツにアクセスした、顧客の識別子リストの記録を可能にする。
念のため申し添えると、列１０４ｄと列１０４ｆは、マルチメディアコンテンツについての統計に対応するものであり、本発明の改善箇所である。
マルチメディアコンテンツメモリ１０４は、特に、例えば、配信の頻度及び／または一つのマルチメディアコンテンツについての期限などの記録が可能になる他の列も更に備えている。
マルチメディアコンテンツメモリ１０４は、配信サーバー１０１を活用する存在によって必要とされるだけの、サービス／マルチメディア／コンテンツの記録を可能にする。
一つの変型例において、列１０４ｅは、地理的区域の識別子リストの記録を可能にする。
【００２２】
地理的区域記述メモリ１０５は、列１０５ａに記録された地理的区域のアドレスを、この区域の記述と関連づけることを可能にする。
一つの変型例において、区域のアドレスは、携帯電話通信網において配信のショートメッセージを正確に仕分けするのに十分である。
配信のショートメッセージは、前述のＳＭＳ−ＣＢ技術によって送信されたメッセージである。
もう一つの変型例において、地理的区域の記述は、ＢＳＣ（Ｂａｓｅ  Ｓｔａｔｉｏｎ  Ｃｏｎｔｒｏｌｌｅｒ、即ち基地局制御制御器）の識別子リストに、及び／または配信を実現する、電話通信網のＢＴＳ（Ｂａｓｅ  Ｔｒａｎｓｃｅｉｖｅｒ  Ｓｔａｔｉｏｎ、即ち基地局）の識別子リストに関連づけられている。
本発明において、地理的区域は、ＢＴＳの集合体によって決定される。
ここで留意したいのは、ＢＳＣが複数のＢＴＳを制御しているということであり、これにより、ＢＳＣのリストは、ＢＴＳのリストと確かに対応しているといえる。
区域のアドレスが電話通信網だけで十分という場合には、地理的区域記述メモリ１０５は必ずしも必要ではない。
【００２３】
インターフェイス回路１０７は、携帯電話通信網１１０の信号と配信サーバー１０１との間のインターフェースである。
インターフェイス回路１０６は、インターネット通信網１０９の信号と配信サーバー１０１との間のインターフェースである。
【００２４】
図１における番号１１１は、移動端末を示している。
移動端末１１１は、好ましい実例においては、携帯電話である。
一つの変型例においては、ＰＤＡでも、ポケットパソコンでも、携帯パソコンでもよいが、ここにすべてを網羅したわけではない。
移動端末１１１は、マイクロプロセッサー１１２、プログラムメモリ１１３、フィルタメモリ１１４、アンテナ１１６とのインターフェース回路１１５を備えている。
要素１１２から１１５は、バス１１７を介して接続される。
アンテナ１１６は、移動電話通信網１１０の基地局１１８とのヘルツ波による接続を確立することができる。
【００２５】
プログラムメモリ１１３は、ショートメッセージの選別に対応する区域１１３ａを備えている。
区域１１３ｂは、マルチメディアコンテンツの収容に対応している。
区域１１３ｃは、マルチメディアコンテンツの解釈に対応している。
区域１１３ｄは、人とマシンのインターフェース（ＩＨＭ）に対応しており、該インターフェースにより、フィルタメモリ１１４の内容を移動端末１１１のユーザーに決定させることが可能となる。
区域１１３ｅは、ＷＡＰモードの実施に対応している。
区域１１３ｆは、ＳＭＳ−ＣＢメッセージの管理に対応している。
【００２６】
フィルタメモリ１１４は、少なくとも二つの列を備える。
列１１４ａは、サービス識別子の記憶を可能にする。
列１１４ｂは、サービスに対応するショートメッセージを、移動端末１１１が処理すべきか、あるいは拒絶／無視すべきかを特定することを可能にする。
フィルタメモリの区域のコンテンツは、移動端末１１１のユーザーによって編集されることが可能であり、それは、配信のショートメッセージのフィルタリングを実施する際に、移動端末１１１の動作を修正するためのものである。
【００２７】
実際には、区域１１３ａから１１３ｄ、１１３ｆ並びにフィルタメモリ１１４は、移動端末の動作を改良するものである。
改良の指示コードは、プログラムメモリ１１３にダウンロードされるか、あるいは、プログラムメモリ１１３にプレインストールされるか、あるいは、移動端末１１１に挿入されているＳＩＭ−Ｔｏｏｌｋｉｔカードのチップに記録される。
【００２８】
図１における番号１１９は、配信サーバー１０１を管理する電話事業者またはその他の相手方のサーバーを示している。
サーバー１１９は、マイクロプロセッサー１２０、プログラムメモリ１２１、マルチメディアコンテンツメモリ１２２、インターネット通信網１０９とのインターフェース回路１２３を備えている。
マイクロプロセッサー１２０、プログラムメモリ１２１、マルチメディアコンテンツメモリ１２２、インターフェース回路１２３は、バス１２４を介して接続される。
【００２９】
プログラムメモリ１２１は、新しいマルチメディアメッセージの生成に対応する区域１２１ａを備えている。
区域１２１ｂは、サーバー１１９によるマルチメディアコンテンツメモリ１０４のマルチメディアコンテンツの更新に対応している。
区域１２１ｃは、マルチメディアメッセージについての統計の収容に対応している。
【００３０】
マルチメディアコンテンツメモリ１２２は、マルチメディアコンテンツを記憶することが可能な列１２２ａと、サービス識別子をマルチメディアコンテンツに関連づけることができる列１２２ｂとを備えている。
一つの変型例においては、マルチメディアコンテンツメモリ１２２は、マルチメディアコンテンツの配信パラメーターの記録が可能な他の列も備えている。
そのようなパラメーターとは、例えば、頻度や期限などである。
【００３１】
図２では、事前の手順（０）において、サーバー１１９が、配信サーバー１０１に向けて、マルチメディアコンテンツを送信するところを示している。
該マルチメディアコンテンツは、サーバー１１９を管理する存在が、配信サーバー１０１を管理する存在の電話通信網において配信しようとするものである。
手順（０）は、サーバー１１９またはサーバー１１９と同等の機器による、配信サーバー１０１の構成手順である。
【００３２】
図３は、サーバー１１９がマルチメディアコンテンツの配信を構成するメッセージを生成する手順を示す。
このような構成メッセージの内容は、図４中のａに示されている。
図４中のａは、マルチメディアコンテンツの配信を構成するメッセージ４０１が、メッセージ４０１を送信し、相手を識別する識別フィールド４０２を備えていることを示している。
メッセージ４０１は、また地理的区域識別子４０３も備えており、それは地理的区域のアドレスに関するものである。
メッセージ４０１は、メッセージが目的に適ったものであるかどうかを決定することを可能にする指示コード４０４も備えている。
指示コード４０４は、例えばサービス／マルチメディアコンテンツの、生成コード、変更コード、または廃止コードである。
指示コード４０４がマルチメディアコンテンツを更新する変更コードであれば、この場合の指示コード４０４は、更新するマルチメディアコンテンツの識別を可能にする部分も備えている。
この部分は、サービス識別子に対応する。
指示コード４０４の性質に従って、メッセージ４０１は、他のフィールドも備えている。
メッセージ４０１がマルチメディアコンテンツ生成のメッセージであれば、この場合メッセージ４０１は、マルチメディアコンテンツを備えるマルチメディアコンテンツフィールド４０５と、マルチメディアコンテンツについての配信頻度を備える頻度フィールド４０６、及び／またはマルチメディアメッセージの期限を備えた期限フィールド４０７を備えている。
期限というのは、この場合、マルチメディアコンテンツが配信され続けなければならない期間のことである。
【００３３】
生成手順３０１において、サーバー１１９は、例えばメッセージ４０１のようなメッセージを生成する。
そして、生成手順３０１で生成された構成されたメッセージ４０１を発信する発信手順３０２に移る。
このメッセージ４０１は、例えばＴＣＰ／ＩＰプロトコルにより、インターネット通信網を介して配信サーバー１０１に宛てに送信される。
一つの変型例においては、メッセージ４０１は暗号化される。
別の一つの変型例においては、メッセージ４０１と同等のものが、オンラインによって構成されすることもできる。
オンラインでの構成は、例えば、ＨＴＭＬ言語で準備されている公式を介して実現される。
その場合、配信サーバー１０１は、サーバー１１９から見て、ＨＴＴＰサーバーのように作動する。
また別の一つの変型例においては、認証及び／または接続を、セキュリティー状態で実施することもできる。
メッセージ４０１に対応する情報を、配信サーバー１０１に届ける方法は、このような理由から数多くある。
【００３４】
発信手順３０２から、配信サーバー１０１による構成メッセージ４０１の受信手順３０３に移る。
受信手順３０３において、配信サーバー１０１は、メッセージ４０１の内容に応じてマルチメディアコンテンツメモリ１０４の内容、さらに具体的には指示コード４０４の内容を更新する。
いずれにしても、配信サーバー１０１は、識別フィールド４０２の識別子がメッセージ４０１に記述されているものと確かに互換性があるかどうかを検証する。
言い換えれば、メッセージ４０１の送信者は、作業の実施許可を得ていなければならない。
この検証は、例えば、配信サーバー１０１を管理する存在の相手方の権利が記録されている認証メモリを辿ることによって行われる。
この認証メモリは、図示されていない。
【００３５】
メッセージ４０１が、新しいマルチメディアコンテンツを生成するための構成メッセージであれば、この場合、配信サーバー１０１は、新しいマルチメディアコンテンツに対応する新しい行を、マルチメディアコンテンツメモリ１０４に記録する。
メッセージ４０１に含まれる情報は、この時、新しい行に移される。
この新しい行に、配信サーバー１０１は、アドレス割当手順３０６により、列１０４ａについての値と、列１０４ｂについての値とを割り当てる。
特に、マルチメディアコンテンツフィールド４０５の内容は、移行手順３０５により、新しい行の列１０４ｃに移される。
移行手順３０５とアドレス割当手順３０６は、受信手順３０３の後に続くものであるが、順序にはこだわらない。
移行手順３０５とアドレス割当手順３０６は、実際、地理的区域識別子４０３の副次的手順である。
それらが、受信手順３０３と別に図示されているのは、マルチメディアコンテンツをメモリに保存し、このマルチメディアコンテンツに識別子／アドレスを関連づけるためである。
この新しい行の統計フィールドは、ゼロで、また、推測されるフィールドに従ってテーブルが空欄となっている状態で初期化される。
次に配信サーバー１０１は、少なくとも列１０４ａのために生成された値、即ちサービス識別子を備えた履行メッセージを生成する。
生成作業を行うことができなかった場合、履行メッセージは、単にエラーコードを備えるだけである。
【００３６】
アドレス割当手順３０６において、配信サーバー１０１は、サービス識別子１０４ａとアドレス１０４ｂとを関連づける。
実際には、同一のサービス識別子に、複数のアドレス、従って、複数のマルチメディアコンテンツを関連づけることができる。
この複数の関連づけは、マルチメディアコンテンツメモリ１０４の行の数を増やすことによって行われる。
よって、マルチメディアコンテンツメモリ１０４が同一のサービス識別子をもつ、複数の行を備えるということも可能である。
この場合、そのような行は、少なくともアドレスのフィールド１０４ｂによって区別される。
この場合、マルチメディアコンテンツメモリ１０４におけるサービス行の決定には、サービス識別子とアドレスを知っていることが必要となる。
話の筋として、マルチメディアコンテンツメモリ１０４において、サービスは、ただ一行だけに対応することが推測される。
そうでない場合は、サービス識別子を、マルチメディアコンテンツメモリ１０４において行を決定することが可能な情報であるものとして理解しなければならない。
そのような情報は、例えばフィールド１０４ａとフィールド１０４ｂとを関連づけるものである。
【００３７】
列１０４ａの内容は、例えば、カウンターを介して、事業者の仲裁を介入して、相手方を定められた乱数的な発生を介して、あるいはまた別の方法を介して、生成される。
【００３８】
列１０４ｂの内容は、ＵＲＬタイプのアドレスに類似する。
この列が、マルチメディアコンテンツメモリ１０４の各行に、以下のようなタイプの完全なＵＲＬアドレスを備えている。
ｐｒｏｔｏｃｏｌ／／ｄｏｍａｉｎ／／ｃｏｎｔｅｎｔｓ．ｈｔｍｌ
これにおいて、ｐｒｏｔｏｃｏｌは、配信サーバー１０１の問い合わせに使用されるプロトコル（ｗｔｐ，ｈｔｔｐ，．．．．）である。
このアドレスにおいては、ｄｏｍａｉｎは、収容するマルチメディアコンテンツが記録されている配信サーバー１０１のドメイン名である。
そして、最後にｃｏｎｔｅｎｔｓ．ｈｔｍｌは、マルチメディアコンテンツメモリ１０４にあるマルチメディアコンテンツの中から選ばれる、収容するマルチメディアコンテンツを区別することを可能にする識別子である。
一つの変型例においては、ｃｏｎｔｅｎｔｓ．ｈｔｍｌだけが列１０４ｂの中に記録されており、ＵＲＬのその他の要素は、マルチメディアコンテンツを収容する前に機器で分かるか、配信中にメッセージを発信するサーバーで分かるようになっている。
Ｃｏｎｔｅｎｔｓ．ｈｔｍｌは、配信サーバー１０１によって定められる。
このように定めることは、例えば、カウンターを介して、事業者の仲介を介して、相手方あるいは、乱数的に発生させて、あるいはまた別の方法によって、実施される。
【００３９】
メッセージ４０１が、サービス／マルチメディアに関するコンテンツを更新するための構成メッセージである場合、配信サーバー１０１は、指示コード４０４のフィールドが備えるサービス識別子により、いかなるサービスに関するものであるかを決定する。
マルチメディアコンテンツメモリ１０４において、一旦対応する行が決定されると、配信サーバー１０１は、指示コード４０４と、また、それに続くフィールドに含まれるパラメーターを介して、メッセージ４０１に記載された更新を実施する。
更新は、マルチメディアコンテンツの配信方法を決定することのできる列１０４ｃ、１０４ｅまたはその他の列のいずれかの内容を取り替えることでもよい。
マルチメディアコンテンツメモリ１０４の一つまたは複数の行の内容を取り替える場合、メッセージ４０１は取り替えの値も備えている。
作業の終わりに、配信サーバー１０１は、更新作業が終了したか、しなかったかによって、更新作業のステータスを示す履行メッセージを生成する。
この履行メッセージは、望ましい実施例において、更新されたマルチメディアコンテンツメモリ１０４の行のサービス識別子を備えている。
更新は、既に存在するサービスに、一つのマルチメディアコンテンツを追加するということでもよい。
この場合、メッセージ４０１は、少なくともサービス識別子とマルチメディアコンテンツとを備えている。
【００４０】
メッセージ４０１が統計に関するメッセージである場合、配信サーバー１０１は、指示コード４０４のフィールドが備えるサービス識別子により、いかなるマルチメディアメッセージに関するものであるかを決定する。
その場合、配信サーバー１０１は、応答として、統計の記録を可能にする行の列の内容を備えた、統計メッセージを生成する。
本発明における実例では、列１０４ｄと１０４ｆのことである。
統計メッセージは、統計がどのサービスに関係しているかを示すサービス識別子も備えている。
その後、統計メッセージは、履行メッセージとして処理される。
【００４１】
実際、サービス識別子も、マルチメディアコンテンツメモリ１０４において相手方の識別子に関連づけられている。
この相手方の識別子は、図示されていない。
この関連づけは、生成や更新の作用が、作業を実施する権利をもつ相手方によって確かに実施されていることを配信サーバー１０１に確認させることができる。
【００４２】
一旦構成メッセージ４０１の処理が完了し、履行メッセージが生成されると、履行メッセージがメッセージ４０１の識別フィールド４０２から識別された存在に発信される。
ついで、サーバー１１９からの履行メッセージの管理である管理手順３０４に移る。
【００４３】
管理手順３０４において、サーバー１１９は、配信サーバー１０１から、生成手順３０１で生成されたメッセージ処理の成功または失敗の情報を受ける。
これは、サーバー１１９で、マルチメディアコンテンツメモリ１２２の内容を更新することを可能にする。
特に、新しいマルチメディアコンテンツを生成するための構成メッセージの場合、履行メッセージは、配信サーバー１０１によって新しいマルチメディアコンテンツに割り当てられたサービス番号を備えている。
このサービス番号は、番号が対応するマルチメディアコンテンツと対応させられつつ、マルチメディアコンテンツメモリ１２２に記録される。
このサービス番号を知っているからこそ、サーバー１１９は、統計を更新し、そして／または収容する構成メッセージを発信することができるのである。
【００４４】
図２において、手順（０）から配信サーバー１０１によるマルチメディアコンテンツの配信の手順（１）に移る。
図３における、受信手順３０３、移行手順３０５、またはアドレス割当手順３０６に続いて、生成手順３０７において、図２に示す手順（１）が開始される。
【００４５】
生成手順３０７は、複数の出来事によって引き起こされる。
最初のきっかけは、受信手順３０３で行われるような、新しいマルチメディアコンテンツを生成するための構成メッセージの受信である。
第二の出来事は、配信サーバー１０１により、マルチメディアコンテンツメモリ１０４の規則的な工程に通じている。
この工程の目的は、マルチメディアコンテンツメモリ１０４に記録されたサービスの特徴に応じて、どのマルチメディアコンテンツを配信すべきかを決定することである。
この生成の際に念頭に置かれる特徴は、配信の頻度と期限である。
第三の出来事は、指示コード４０４が、マルチメディアコンテンツメモリ１０４に記録されたマルチメディアコンテンツの緊急の配信の指示に対応するところの、構成メッセージの受信である。
【００４６】
生成手順３０７において、マルチメディアコンテンツを配信すべきサービスが一旦決定されると、配信サーバー１０１は、一つまたは複数のＳＭＳ−ＣＢメッセージまたは配信のショートメッセージを生成する。
サービスのマルチメディアコンテンツの配信に必要なＳＭＳ−ＣＢメッセージの量は、配信が実現されるところの電話通信網に存在するアドレシングモードに左右される。
既に述べた通り、本発明において、地理的区域は、ＢＳＣ及び／またはＢＴＳの集合体である。
即ち、携帯電話通信網が、その呼称／認証により、ＢＳＣ及び／またはＢＴＳを取りまとめる区域の識別子を認識するということである。
この場合、この区域の識別子に宛てにＳＭＳ−ＣＢメッセージを発信するだけで、区域内にショートメッセージの配信を確実に実施するのに十分である。
ＳＭＳ−ＣＢを、区域を決定する各ＢＳＣ及び／またはＢＴＳに送ることも可能である。
この場合、列１０４ｅの区域識別子を、ＢＳＣ及び／またはＢＴＳの識別子リストに翻訳する必要がある。
この翻訳は、地理的区域記述メモリ１０５を介して、配信サーバー１０１によって確実に実施される。
この二つのいずれの場合でも、配信サーバー１０１は、サービスに関連づけられた地理的区域の配信のショートメッセージを生成する。
【００４７】
生成手順３０７で生成された配信のショートメッセージは、少なくとも図４中のｂに示された情報を備えている。
図４中のｂは、配信のショートメッセージを示しており、該メッセージは、メッセージ４１０が目指すところのアプリケーションの識別フィールド４１１を備えている。
メッセージ４１０は、サービス識別フィールド４１２と、マルチメディアコンテンツアドレスフィールド４１３も備えている。
本発明の一つの変型例においては、メッセージ４１０は、マルチメディアコンテンツアドレスフィールド４１３を備えておらず、サービス識別フィールド４１２の内容だけで、ＵＲＬタイプのアドレスを生成できるものである。
それは、ＳＭＳ−ＣＢ技術と完全な互換性があるものであり、該技術は、９３×１５文字にも及ぶことのある長さのメッセージを配信することができる。
【００４８】
メッセージ４１０は、必要とされる数だけＳＭＳ−ＣＢメッセージに挿入され、配信サーバー１０１の処理の間に、サービスに対応する区域に行き渡るようになされる。
生成されたＳＭＳ−ＣＢメッセージには、それぞれアドレスがあるが、そのアドレスは区域のアドレス、または、もう一つの別の場合、ＢＳＣまたはＢＴＳのアドレスである。
【００４９】
生成手順３０７から送信手順３０８に移り、そこにおいて配信サーバー１０１は、生成手順３０７で生成された配信のショートメッセージを送信する。
このようなメッセージは、ＳＭＳ−ＣＢ技術により送信される。
そして、配信は、図２では手順（２）に対応し、図３では配信手順３０９に対応する。
ショートメッセージを配信するこのような手順は既知のものであり、大まかな原理のみを振り返るにとどめる。
送信手順３０８において送信されたメッセージは、携帯電話通信網１１０を通じて仕分けされ、これらの通信網の宛先となる（ＢＳＣ及び／またはＢＴＳの）機器に至る。
これらの機器は、配信の際に接続されている全ての移動端末に、配信ショートメッセージを確実に配信する。
実際には、配信サーバー１０１は、ＳＭＳ−ＣＢ技術と互換性のあるインターフェースを介して携帯電話通信網１１０と接続されており、携帯電話通信網１１０のＳＭＳ−ＣＢＣ（ＳＭＳ−ＣＢセンター）サーバーと交信できるようになされている。
一つの変型例においては、配信サーバー１０１は、ＴＣＰ／ＩＰインターフェースを介して、インターネットタイプ通信網を介して、ＳＭＳ−ＣＢＣサーバーと交信する。
図２において、地理的区域を規定しているのが、携帯電話通信網の幾つかのセルであることが示されている。
図２の例では、地理的区域を構成しているのは、関連づけられた３つのセルである。
実際には、セルの数はいくつでもいいし、関連づけられていてもいなくてもよい。
【００５０】
配信手順３０９から、移動端末１１１がＳＭＳ−ＣＢメッセージを受信する受信手順３１０に移る。
配信手順３０９では、移動端末１１１は、メッセージ４１０の内容にアクセスする。
特に、移動端末１１１は、識別フィールド４１１の内容にアクセスする。
該内容は、このメッセージ４１０の処理が、どのようなものであるかを示すためのものである。
本例の場合、識別フィールド４１１は、メッセージ４１０の宛先となる移動端末１１１でのアプリケーションが、どのようなものかを示すものである。
この場合、アプリケーションは、本発明に係る配信のショートメッセージを処理する能力を備えたものであり、そのアプリケーションはエージェントとも呼ばれる。
このエージェントは、区域１１３ａから１１３ｄまでの指示コードに対応している。
【００５１】
受信手順３１０から処理手順３１１に移る。
処理手順３１１において、移動端末１１１によりエージェントを活用して、本発明の配信のショートメッセージの本来の意味での、処理を実施することができるようにする。
この処理は、フィルタ手順３１２で、フィルタリングを実施することから始められる。
このフィルタリングは、サービス識別フィールド４１２の内容によって実現される。
移動端末１１１は、サービス識別フィールド４１２の内容を、列１１４ａの内容と比較する。
仮に、移動端末１１１が対応する行を発見すれば、すなわち、サービス識別フィールド４１２の内容が列１１４ａに存在していれば、この場合、フィルタリングの結果は列１１４ｂの内容である。
列１１４ｂは、メッセージ４１０の処理が、フィルタ手順３１２とは別に続行されるかを示す。
仮に、サービス識別フィールド４１２が列１１４ａに存在しない場合、移動端末１１１で、デフォルト状態の挙動を採る。
このデフォルト状態の挙動というのは、処理を中断、あるいは、処理の続行のことである。
これは、移動端末１１１のユーザーの裁量に任されており、ユーザーは自分が望むように電話を構成することができる。
【００５２】
フィルタリングの結果が中断である場合、終了手順３１３に移る。
そして、移動端末１１１は、メッセージ４１０を全く受信しなかったような場合と同じような状態に復帰することになる。
【００５３】
フィルタリングの結果が続行である場合、マルチメディアコンテンツの収容手順３１４に移る。
そして、収容手順３１４は、受信手順３１０で受信したメッセージ４１０のサービス識別フィールド４１２によって指定されたサービスに関連づけられている。
これは、図２の手順（３）に対応している。
収容手順３１４においては、移動端末１１１が図４中のｃに示されているような内容のメッセージを生成する。
図４中のｃは、マルチメディアコンテンツの収容リクエスト４２０が、リクエストの発信者の識別フィールド４２１と、マルチメディアコンテンツの収容リクエストを示す指示コードに関する収容フィールド４２２と、取り込み対象のマルチメディアコンテンツ識別フィールド４２３とを備えていることを示している。
識別フィールド４２１は、リクエスト由来の識別フィールドとも呼ばれる。
【００５４】
マルチメディアコンテンツ識別フィールド４２３の内容は、マルチメディアコンテンツアドレスフィールド４１３の内容に対応する。
メッセージ４１０が、マルチメディアコンテンツアドレスフィールド４１３を備えていない場合、マルチメディアコンテンツ識別フィールド４２３の内容は、サービス識別フィールド４１２の内容に対応する。
マルチメディアコンテンツ識別フィールド４２３の内容により、マルチメディアコンテンツメモリ１０４にある行を識別することが可能となる
収容は、少なくとも二つのモードで実施することができる。
第１のモードは、ＷＡＰ／ＧＰＲＳモードである。
その場合、収容リクエスト４２０は、ＧＥＴタイプの収容リクエストであり、マルチメディアコンテンツ識別フィールド４２３の内容は、ＵＲＬである。
このモードでは、識別フィールド４２１の識別子は、インターネットアドレスである。
このモードでは、マルチメディアコンテンツ識別フィールド４２３の内容は、ＵＲＬアドレス、あるいは、列１０４ｂについて説明したような、ＵＲＬを再構成することが可能になるような情報である。
マルチメディアコンテンツアドレスフィールド４１３が存在しない場合、移動端末１１１は、以下のようなタイプから選ばれるＵＲＬアドレスを生成する。
ｗｔｐ：／／ｄｏｍａｉｎ＿ｓｅｒｖｅｒ＿１０１＊ｓｅｒｖｉｃｅｄ＝ｃｏｎｔｅｎｔｓ＿ｃｈａｍｐ＿４１２。
ｗｔｐ：／／ｄｏｍａｉｎ＿ｓｅｒｖｅｒ＿１０１＊ａｄｒｅｓｓｅ＝ｃｏｎｔｅｎｔｓ＿ｃｈａｍｐ＿４１２。
ｗｔｐ：／／ｄｏｍａｉｎ＿ｓｅｒｖｅｒ＿１０１／ａｄｒｅｓｓｅ＝ｃｏｎｔｅｎｔｓ＿ｃｈａｍｐ＿４１２。
【００５５】
上記ですべてを網羅したというわけではなく、例として挙げたＷＴＰも、アドレスの要素の名称も、上記のものに限るというものではない。
マルチメディアコンテンツアドレスフィールド４１３が存在する場合は、マルチメディアコンテンツ識別フィールド４２３に転記される完全なＵＲＬを内容に含んでいたり、サービス識別子に相当する情報、即ち、マルチメディアコンテンツメモリ１０４のうちの一行を確実に識別できるような情報を含んでいる。
この場合、その情報により、今、例として挙げたばかりのもののようなＵＲＬを生成することができる。
これは、図２に示されたＧＰＲＳ／ＷＡＰモードであり、図２は、配信の標的に定めた区域の移動端末が、ＷＡＰリンクを介して配信サーバー１０１との接続を確立するところを示している。
このモードでは、マルチメディアコンテンツ識別フィールド４２３の内容により、列１０４ａを介して、あるいは列１０４ｂを介して、マルチメディアコンテンツメモリ１０４の一行を再び見つけることが可能となる。
【００５６】
第２のモードは音声モードである。
音声モードにおいて、収容リクエスト４２０は、前のモードと同一であるか、またはマルチメディアコンテンツ識別フィールド４２３についてサービス識別子しか備えていない。
このモードでは、識別フィールド４２１の識別子は電話番号である。
【００５７】
一旦生成されると、収容リクエスト４２０に係るメッセージは、配信サーバー１０１に送信される。
そして、配信サーバー１０１において、応答手順３１５により、収容リクエスト４２０となる。
【００５８】
応答手順３１５において、配信サーバー１０１は、マルチメディアコンテンツ識別フィールド４２３の内容を用いて、収容リクエスト４２０に対する応答として、どのようなマルチメディアコンテンツを発信したらいいかを決定する。
この決定は、収容リクエスト４２０が列１０４ｂに記録されたフォーマットのアドレスを備えているか、収容リクエスト４２０に係るメッセージがサービス識別子を備えているため容易に行うことができる。
それゆえ、マルチメディアコンテンツメモリ１０４の行を決定するのは、容易なことである。
好ましい一つの変型例においては、マルチメディアコンテンツ識別フィールド４２３の内容は、列１０４ｂの内容と比較しうるものである。
それゆえ、マルチメディアコンテンツ識別フィールド４２３の内容は、配信サーバー１０１によってマルチメディアコンテンツに関連づけられたアドレスである。
このアドレスは、マルチメディアコンテンツメモリ１０４の行を確実な仕方で決定することを可能にする。
その行が一旦決定されると、配信サーバー１０１は、収容リクエストに対する応答の主題となる列１０４ｃを介して、マルチメディアコンテンツを所有する。
【００５９】
ＷＡＰ／ＧＰＲＳモードである場合は、応答は、例えば、ＭＭＳメッセージ、ＨＴＭＬ／ＷＭＬファイル、音声ＸＭＬファイルまたはその他のインターネット上に存在するマルチメディアコンテンツと互換性のあるフォーマットである。
その場合、配信サーバー１０１は、ＨＴＴＰ／ＷＴＰサーバー、あるいは、ＭＭＳサーバーとして作用する。
【００６０】
音声モードである場合は、これは、配信されるマルチメディアコンテンツが音声であることを示す。
このモードでは、配信サーバー１０１は、識別フィールド４２１の内容を用いて、音声モードで移動端末１１１を呼び出す。
音声による通信が一旦確立されると、配信サーバー１０１は、サービス識別フィールド４１２の内容によって特定されたマルチメディアコンテンツに対応する音声信号を送信する。
よって、移動端末１１１のユーザーは、配信サーバー１０１に呼び出され、該配信サーバー１０１が音声ボックスとして作動する。
一つの変型例においては、移動端末１１１にかけ直すのは、配信サーバー１０１ではなくて、移動端末１１１が配信サーバー１０１を呼び出し、配信サーバー１０１が音声ボックスとして作動する。
【００６１】
一つの変型例においては、サーバーが識別フィールド４２１の値についてのテストを実施し、この値によって識別されたユーザーが、マルチメディアコンテンツを受信する権利があるかを決定する。
【００６２】
念のため申し添えると、本発明においてマルチメディアコンテンツの収容は、そのコンテンツを配信サーバー１０１から削除するものではなく、それは、メッセージサーバーの場合と同様である。
配信サーバー１０１におけるサービス／マルチメディアコンテンツの削除は、サービスの期限切れか、メッセージを生成した相手方の意図的な介入によって行われる。
【００６３】
応答手順３１５から、移動端末１１１がマルチメディアコンテンツの収容を行い、マルチメディアコンテンツの収容が順調に行われたかどうかを決定する収容手順３１６に移る。
それは、収容リクエスト４２０への応答メッセージが、確かに受信されたかどうかを決定するということである。
【００６４】
ＷＡＰ／ＧＰＲＳモードの場合、活用されるプロトコルは、スレッド履行メカニズムを備え、該メカニズムによって通信が確かに行われたかが決定される。
通信が良好な場合、移動端末１１１は、配信サーバー１０１に肯定的な履行を送信する。
さもなければ、移動端末１１１は、収容手順３１４に戻るか、再送信を数回行ったあとに収容の試みを放棄する。
また、中断した場合、移動端末１１１は、配信サーバー１０１に否定的な履行を送信する。
履行の送信は、送信手順３１７に対応する。
【００６５】
音声モードの場合、配信サーバー１０１の呼び出しの際に、切れたというだけで、それ自体が、肯定的な履行になる。
【００６６】
送信手順３１７から、マルチメディアコンテンツの解釈を実施する解釈手順３１８に移る。
解釈手順３１８は、ＷＡＰ／ＧＰＲＳモードの場合に行われる。
解釈手順３１８においては、移動端末１１１が、内容のフォーマットに従って、マルチメディアコンテンツの解釈を実施する。
解釈を実施するために、移動端末１１１は、実際、ＷＡＰ／ＨＴＭナビゲーターとして、あるいは、ＭＭＳ解釈器として作動する。
【００６７】
送信手順３１７から、配信サーバー１０１による履行の処理の実施手順３１９に移る。
履行メッセージは、該メッセージが決定を仰ぐサービスを識別するフィールドと、肯定的な履行か否定的な履行であるかを示すフィールドとを備える。
肯定的な履行の場合には、配信サーバー１０１はサービス識別子を用いて統計を更新しなければならない、マルチメディアコンテンツメモリ１０４のテーブルの行を決定する。
この更新は、列１０４ｄのカウンターを一単位だけ増やし、また、列１０４ｆのリストに収容リクエスト４２０を送信した顧客の識別子を挿入することで構成されている。
一つの変型例においては、このような更新は、履行を待たずに、収容リクエスト４２０を受信するとすぐに行われる。
【００６８】
マルチメディアコンテンツの配信サーバー１０１は、マルチメディアコンテンツを移動電話通信網上で、携帯電話端末宛てに配信する。
しかしながら、本発明の教示するところによると、少なくとも一つの移動電話通信網を介してマルチメディアコンテンツを受信する他の端末、コンピューターなどにも及びうるものである。
【００６９】
実際には、列１０４ｃに記録されたマルチメディアコンテンツは、配信サーバー１０１に接続された端末により、直接解釈することのできるフォーマットである。
サーバー１１９による配信サーバー１０１の構成の際、フォーマットが正確でなければ、配信サーバー１０１はフォーマットの変換を実施する。
このような変換は、携帯電話通信網の分野では既知のものであり、特にＨＴＭＬ言語とＷＭＬ言語の間で行われるものである。
【００７０】
本発明に従った方法を用いることによって、ただ一つの配信のショートメッセージを送信することによって、複数の端末にマルチメディアコンテンツを配信することが可能である。
【００７１】
本発明に従った方法を用いることによって、ただ一つの、そして同一の配信のショートメッセージによって、複数のマルチメディアコンテンツを配信することも可能である。
実際、一人の移動端末のユーザーは、一つのメモリにおいて配信のショートメッセージを保護することが可能である。
よって、ユーザーは自ら進んで配信サーバー１０１に接続することもできる。
配信サーバー１０１を管理する存在の相手方は、ショートメッセージに関連づけられたマルチメディアコンテンツを変更する裁量を有する。
その場合、ある接続から次の接続に移る際に、ユーザーが同一のマルチメディアコンテンツを収容しないことも起こりうる。
このことは結局、アドレスに関連づけられたマルチメディアコンテンツを変更するのと同じことになる。
【００７２】
本発明に従った方法を用いることで、インターネット通信網でつなぐことのできるあらゆるサーバーによって、仮収容されたマルチメディアコンテンツを配信することができる。
それゆえ、列１０４ｂのフィールドは、ＵＲＬアドレスを含むこと、つまりはインターネット通信網全体に送ることが可能である。
【図面の簡単な説明】
【００７３】
【図１】本発明による方法の実施を可能にする装置の概略図である。
【図２】本発明による方法を総合的に示した概略図である。
【図３】本発明による方法の手順を示した概略図である。
【図４】本発明による方法の実施の間にやり取りされるメッセージの内容の概略図である。
【符号の説明】
【００７４】
１０１  配信サーバー
１０２  マイクロプロセッサー
１０３  プログラムメモリ
１０４  マルチメディアコンテンツメモリ
１０５  地理的区域記述メモリ
１０６  インターフェイス回路
１０７  インターフェイス回路
１０８  バス
１０９  インターネット通信網
１１０  携帯電話通信網
１１１  移動端末
１１２  マイクロプロセッサー
１１３  プログラムメモリ
１１４  フィルタメモリ
１１５  インターフェース回路
１１６  アンテナ
１１７  バス
１１８  基地局
１１９  相手方のサーバー
１２０  マイクロプロセッサー
１２１  プログラムメモリ
１２２  マルチメディアコンテンツメモリ
１２３  インターフェイス回路
１２４  バス
３０１  生成手順
３０２  発信手順
３０３  受信手順
３０４  管理手順
３０５  移行手順
３０６  アドレス割当手順
３０７  生成手順
３０８  送信手順
３０９  配信手順
３１０  受信手順
３１１  処理手順
３１２  フィルタ手順
３１３  終了手順
３１４  収納手順
３１５  応答手順
３１６  収容手順
３１７  送信手順
３１８  解釈手順
３１９  実施手順
４０１  メッセージ
４０２  識別フィールド
４０３  地理的区域識別子
４０４  指示コード
４０５  マルチメディアコンテンツフィールド
４０６  頻度フィールド
４０７  期限フィールド
４１０  メッセージ
４１１  識別フィールド
４１２  サービス識別フィールド
４１３  マルチメディアコンテンツアドレスフィールド
４２０  収容リクエスト
４２１  識別フィールド
４２２  収容フィールド
４２３  マルチメディアコンテンツ識別フィールド
【図１】
2004213653.tif 000003
【図２】
2004213653.tif 000004
【図３】
2004213653.tif 000005
【図４】
2004213653.tif 000006